(57)【要約】【課題】各種の電気機器が共通に使用することができる電圧可変式直流電源装置を得ることを目的とする。【解決手段】携帯端末２から所望の電圧値を示す電源情報を受信するＲＦ−ＩＤのアンテナ２１と、そのアンテナ２１により受信された電源情報が示す電圧値をＤＣ出力電圧値に設定する受信データ処理部２２とを設け、可変出力ＡＣ／ＤＣ電源部２４が商用電源から供給される交流電圧を受信データ処理部２２により設定されたＤＣ出力電圧値の直流電圧に変換し、その直流電圧を携帯端末２の処理回路１４に供給する。【選択図】図１
2009278771.tif 000002
【特許請求の範囲】
【請求項１】
電気機器から所望の電圧値を示す電源情報を受信する電源情報受信手段と、上記電源情報受信手段により受信された電源情報が示す電圧値を出力電圧値に設定する出力電圧値設定手段と、交流電源から供給される交流電圧を上記出力電圧値設定手段により設定された出力電圧値の直流電圧に変換し、上記直流電圧を上記電気機器に供給する直流電圧供給手段とを備えた電圧可変式直流電源装置。
【請求項２】
電気機器から所望の電圧値及び電流制限値を示す電源情報を受信する電源情報受信手段と、上記電源情報受信手段により受信された電源情報が示す電圧値を出力電圧値に設定する出力電圧値設定手段と、上記電源情報受信手段により受信された電源情報が示す電流制限値を最大出力電流値に設定する最大出力電流値設定手段と、交流電源から供給される交流電圧を上記出力電圧値設定手段により設定された出力電圧値の直流電圧に変換し、出力電流の電流値が上記最大出力電流値設定手段により設定された最大出力電流値を超えないように制限しながら、上記直流電圧を上記電気機器に供給する直流電圧供給手段とを備えた電圧可変式直流電源装置。
【請求項３】
電源情報受信手段は、ＺｉｇＢｅｅによる無線通信、ＲＦ−ＩＤによる無線通信、または、ＰＬＣによる通信によって電源情報を受信することを特徴とする請求項１または請求項２記載の電圧可変式直流電源装置。
【請求項４】
所望の電圧値を示す電源情報を記憶している不揮発性記憶素子と、上記不揮発性記憶素子に記憶されている電源情報を電圧可変式直流電源装置に送信する電源情報送信手段と、上記電圧可変式直流電源装置から供給される直流電圧で動作する処理回路とを備えた電気機器。
【請求項５】
所望の電圧値及び電流制限値を示す電源情報を記憶している不揮発性記憶素子と、上記不揮発性記憶素子に記憶されている電源情報を電圧可変式直流電源装置に送信する電源情報送信手段と、上記電圧可変式直流電源装置から供給される直流電圧で動作する処理回路とを備えた電気機器。
【請求項６】
電源情報送信手段は、ＺｉｇＢｅｅによる無線通信、ＲＦ−ＩＤによる無線通信、または、ＰＬＣによる通信によって電源情報を送信することを特徴とする請求項４または請求項５記載の電気機器。
【発明の詳細な説明】
【技術分野】
【０００１】
この発明は、直流電圧を電気機器に供給する電圧可変式直流電源装置と、電圧可変式直流電源装置から供給される直流電圧で動作する電気機器とに関するものである。
【背景技術】
【０００２】
近年、ノート型パーソナルコンピュータ、携帯電話、携帯ゲーム機などの携帯端末（電気機器）が広く普及している。
その要因は、携帯端末の大きさが持ち運べるほどに小型化されたことが挙げられる。
しかし、小型化を図るために、携帯端末の電源装置が、ＡＣアダプタとして外付けされているものが多い。
このため、携帯端末を購入する度に異なる電圧出力のＡＣアダプタが手元に増えていく傾向にある。
【０００３】
このように、携帯端末を購入する度に異なる電圧出力のＡＣアダプタが増えてしまうと、例えば、下記に示すような問題が発生することがある。
（１）ユーザが出力電圧の異なるＡＣアダプタを管理する必要がある。
（２）一般的に携帯端末の本体側が先に壊れることが多く、最後にＡＣアダプタだけが残る。
（３）携帯端末の持ち出し先には、適合するＡＣアダプタがない可能性が高いので、ユーザが重たいＡＣアダプタを一緒に持ち歩く必要がある。
【０００４】
なお、電源装置の制御に関する従来技術として、ＰＬＣ技術を用いているものや（例えば、特許文献１を参照）、ＲＦ−ＩＤ技術を用いているものがある（例えば、特許文献２を参照）
しかし、これらの従来技術は、各種の携帯端末（電気機器）が共通に使用可能なＡＣアダプタを得るためのものではない。
【０００５】
【特許文献１】特開２００３−３０４６５３号公報（段落番号［００１２］、図１）
【特許文献２】特開２００６−２７９６５０号公報（段落番号［０００７］、図１）
【発明の開示】
【発明が解決しようとする課題】
【０００６】
従来の電源装置は以上のように構成されているので、各種の電気機器が共通に使用できるものではなく、各種の電気機器毎に用意する必要があるなどの課題があった。
【０００７】
この発明は上記のような課題を解決するためになされたもので、各種の電気機器が共通に使用することができる電圧可変式直流電源装置を得ることを目的とする。
また、この発明は、電圧可変式直流電源装置から直流電圧の供給を受けることができる電気機器を得ることを目的とする。
【課題を解決するための手段】
【０００８】
この発明に係る電圧可変式直流電源装置は、電気機器から所望の電圧値を示す電源情報を受信する電源情報受信手段と、その電源情報受信手段により受信された電源情報が示す電圧値を出力電圧値に設定する出力電圧値設定手段とを設け、直流電圧供給手段が交流電源から供給される交流電圧を出力電圧値設定手段により設定された出力電圧値の直流電圧に変換し、その直流電圧を電気機器に供給するようにしたものである。
【発明の効果】
【０００９】
この発明によれば、電気機器から所望の電圧値を示す電源情報を受信する電源情報受信手段と、その電源情報受信手段により受信された電源情報が示す電圧値を出力電圧値に設定する出力電圧値設定手段とを設け、直流電圧供給手段が交流電源から供給される交流電圧を出力電圧値設定手段により設定された出力電圧値の直流電圧に変換し、その直流電圧を電気機器に供給するように構成したので、各種の電気機器が共通に使用することができる効果がある。
【発明を実施するための最良の形態】
【００１０】
実施の形態１．
図１はこの発明の実施の形態１による電圧可変式直流電源装置及び電気機器を示す構成図であり、図１では、電圧可変式直流電源装置である可変出力ＡＣ／ＤＣ電源アダプタ１と、電気機器である携帯端末２とが接続されている例を示している。
図１において、ＲＦ−ＩＤ（Ｒａｄｉｏ  Ｆｒｅｑｕｅｎｃｙ  ＩＤｅｎｔｉｆｉｃａｔｉｏｎ）１１はＩＣタグ１２とアンテナ１３から構成されており、処理回路１４の動作に必要な電圧値及び電流制限値を示す電源情報を可変出力ＡＣ／ＤＣ電源アダプタ１に送信する処理を実施する。なお、ＲＦ−ＩＤ１１は電源情報送信手段を構成している。
【００１１】
ＩＣタグ１２は処理回路１４の動作に必要な電圧値及び電流制限値を示す電源情報を記憶している不揮発性記憶素子を実装しており、可変出力ＡＣ／ＤＣ電源アダプタ１から電源情報の送信要求を受信すると、その電源情報をアンテナ１３に出力することにより、その電源情報を可変出力ＡＣ／ＤＣ電源アダプタ１に送信する処理を実施する。
処理回路１４は例えば演算回路やディスプレイやスピーカなどの電気回路であり、可変出力ＡＣ／ＤＣ電源アダプタ１から供給される直流電圧で動作する。
コネクタ１５は電源ケーブル２５を接続するインタフェースである。
【００１２】
ＲＦ−ＩＤのアンテナ２１は電源情報の送信要求を携帯端末２に送信する一方、携帯端末２のＲＦ−ＩＤ１１から送信された電源情報を受信する。なお、アンテナ２１は電源情報受信手段を構成している。
受信データ処理部２２はアンテナ２１により受信された電源情報が示す電圧値をＤＣ出力電圧値に設定するとともに、その電源情報が示す電流制限値を最大出力電流値に設定する処理を実施する。なお、受信データ処理部２２は出力電圧値設定手段及び最大出力電流値設定手段を構成している。
【００１３】
コンセント２３は交流電源である商用電源と接続するインタフェースである。
可変出力ＡＣ／ＤＣ電源部２４は商用電源から供給される交流電圧を受信データ処理部２２により設定されたＤＣ出力電圧値の直流電圧に変換し、出力電流の電流値が受信データ処理部２２により設定された最大出力電流値を超えないように制限しながら、その直流電圧を電源ケーブル２５を介して携帯端末２の処理回路１４に供給する処理を実施する。
なお、可変出力ＡＣ／ＤＣ電源部２４は直流電圧供給手段を構成している。
図２は可変出力ＡＣ／ＤＣ電源部２４における直流電圧の出力タイミングを示す説明図である。
また、図３は可変出力ＡＣ／ＤＣ電源アダプタ１と携帯端末２におけるＤＣ出力電圧値の設定シーケンスを示す説明図である。
【００１４】
次に動作について説明する。
可変出力ＡＣ／ＤＣ電源アダプタ１の受信データ処理部２２は、可変出力ＡＣ／ＤＣ電源部２４が直流電圧を携帯端末２に供給するに際して、電源情報の送信要求をアンテナ２１に出力することにより、その電源情報の送信要求を携帯端末２のＲＦ−ＩＤ１１に送信する。
ただし、携帯端末２のＲＦ−ＩＤ１１がパッシブタイプのＲＦ−ＩＤであれば、ＲＦ−ＩＤ起動用の電源を携帯端末２に搭載する必要がないが、アクティブタイプのＲＦ−ＩＤである場合、ＲＦ−ＩＤ起動用の電源を携帯端末２に搭載する必要がある。この場合、例えば、電池などの電源を携帯端末２に搭載するようにしてもよいし、可変出力ＡＣ／ＤＣ電源アダプタ１が予め決められた電力（例えば、規格化されている電力）をＲＦ−ＩＤ１１に供給するようにしてもよい。
【００１５】
携帯端末２におけるＲＦ−ＩＤ１１のＩＣタグ１２は、アンテナ１３が可変出力ＡＣ／ＤＣ電源アダプタ１から送信された電源情報の送信要求を受信すると、内部の不揮発性記憶素子に記憶されている電源情報（処理回路１４の動作に必要な電圧値及び電流制限値を示す電源情報）をアンテナ１３に出力することにより、その電源情報を可変出力ＡＣ／ＤＣ電源アダプタ１に送信する。
【００１６】
ここで、図３のシーケンスでは、可変出力ＡＣ／ＤＣ電源アダプタ１の受信データ処理部２２が電源情報の送信要求に相当する電源パラメータ要求を携帯端末２に繰り返し送信し、携帯端末２がその電源パラメータ要求の応答として、電源情報に相当する電源パラメータを可変出力ＡＣ／ＤＣ電源アダプタ１に返信している例を示している。
図３の例では、予め決められている必要項目の電源パラメータが可変出力ＡＣ／ＤＣ電源アダプタ１に返信されることで、電源情報の取得が完了している。
なお、図３のシーケンスは一例に過ぎず、このシーケンスに限定されるものではない。
【００１７】
可変出力ＡＣ／ＤＣ電源アダプタ１の受信データ処理部２２は、アンテナ２１が携帯端末２から送信された電源情報を受信すると、その電源情報が示す電圧値をＤＣ出力電圧値に設定するとともに、その電源情報が示す電流制限値を最大出力電流値に設定する。
可変出力ＡＣ／ＤＣ電源部２４は、受信データ処理部２２がＤＣ出力電圧値と最大出力電流値を設定すると、図２に示すように、商用電源から供給される交流電圧をＤＣ出力電圧値の直流電圧に変換し、出力電流の電流値が最大出力電流値を超えないように制限しながら、その直流電圧を電源ケーブル２５を介して携帯端末２の処理回路１４に供給する。
図２の例では、電源情報の送信要求を携帯端末２に送信したのち、電源情報設定時間Ｔが経過した時点から、直流電圧を携帯端末２の処理回路１４に供給している様子を示している。
【００１８】
以上で明らかなように、この実施の形態１によれば、携帯端末２から所望の電圧値を示す電源情報を受信するＲＦ−ＩＤのアンテナ２１と、そのアンテナ２１により受信された電源情報が示す電圧値をＤＣ出力電圧値に設定する受信データ処理部２２とを設け、可変出力ＡＣ／ＤＣ電源部２４が商用電源から供給される交流電圧を受信データ処理部２２により設定されたＤＣ出力電圧値の直流電圧に変換し、その直流電圧を携帯端末２の処理回路１４に供給するように構成したので、各種の携帯端末２が共通に使用することができるＡＣアダプタが得られる効果を奏する。
【００１９】
また、この実施の形態１によれば、受信データ処理部２２がアンテナ２１により受信された電源情報が示す電流制限値を最大出力電流値に設定し、可変出力ＡＣ／ＤＣ電源部２４が、出力電流の電流値が最大出力電流値を超えないように制限しながら、その直流電圧を携帯端末２の処理回路１４に供給するように構成したので、携帯端末２における過負荷の発生を防止することができる効果を奏する。
【００２０】
この実施の形態１の効果は上記の通りであるが、具体的には、上述した従来例の問題が、以下のように改善されることが期待できる。
［改善１］
「ユーザが出力電圧の異なるＡＣアダプタを管理する必要がある。」点について
図４に示すように、電源装置の整理が電気機器の負荷容量で可能になるので、種類が削減されることが期待される。
【００２１】
［改善２］
「一般的に携帯端末の本体側が先に壊れることが多く、最後に、ＡＣアダプタだけが残る。」点について
電源装置が電気機器に特定され難くなるため、各自が必要となる電力範囲の電源装置を持てばよくなることが期待できる。
したがって、電源装置だけが残るということがなくなるので、ユーザが「機器の故障→廃棄」という選択をしたときに、電源装置を廃棄する必要がなくなり、環境への効果も期待することができる。
【００２２】
［改善３］
「携帯端末の持ち出し先には、適合するＡＣアダプタがない可能性が高いので、ユーザが重たいＡＣアダプタを一緒に持ち歩く必要がある。」点について
電気機器毎に電源装置を用意する必要がなくなることで、持ち歩く電源装置の数を減らすことが可能となることが期待できる。
また、出先が実家のような地縁のあるところであれば、出先で必要な電源装置が用意されている可能性があり、持ち運び自体が不要となることが期待できる。また、そうでない場合でも、例えば、旅行先の旅館などでの貸し出しサービス等を期待することもできる。
さらに、電源装置自体が共通化されているので、最悪の場合、出先で購入して利用することも可能となる。
【００２３】
［改善４］
メーカは、電気機器の開発の度に専用電源を設計・製造する必要がなくなるため、製品自体のコストの低下を期待することができる。
【００２４】
なお、この実施の形態１では、電気機器が携帯端末２である例を示したが、直流電圧の供給を受けて動作する機器であれば、電気機器が必ずしも携帯端末２である必要はない。
また、可変出力ＡＣ／ＤＣ電源アダプタ１が携帯端末２から無線通信で電源情報を受信するものについて示したが、可変出力ＡＣ／ＤＣ電源アダプタ１が携帯端末２から有線通信で電源情報を受信するようにしてもよい。
【００２５】
実施の形態２．
図５はこの発明の実施の形態２による電圧可変式直流電源装置及び電気機器を示す構成図であり、図において、図１と同一符号は同一または相当部分を示すので説明を省略する。
コネクタ３１は電源ケーブル２５を携帯端末２に接続するインタフェースであり、また、コネクタ３１は携帯端末２におけるＲＦ−ＩＤ１１のアンテナ１３を内蔵しており、可変出力ＡＣ／ＤＣ電源アダプタ１のアンテナ２１をアンテナ１３の近くに設置することが可能な構造を備えている。
信号ケーブル３２は受信データ処理部２２とＲＦ−ＩＤ１１を結ぶ信号線であり、見かけ上は、電源ケーブル２５と一体をなしている（外部からは信号ケーブル３２と電源ケーブル２５が一本のケーブルに見える）。
【００２６】
可変出力ＡＣ／ＤＣ電源アダプタ１と携帯端末２の処理内容は、上記実施の形態１と同様である。
ただし、この実施の形態２では、コネクタ３１によって、可変出力ＡＣ／ＤＣ電源アダプタ１のアンテナ２１と携帯端末２のアンテナ１３とが近くに設置されるので、ＲＦ−ＩＤの出力を小さくすることができる効果や、他機器との混信が起こり難くなる効果などを奏する。
【００２７】
実施の形態３．
図６はこの発明の実施の形態３による電圧可変式直流電源装置及び電気機器を示す構成図であり、図において、図１と同一符号は同一または相当部分を示すので説明を省略する。
携帯端末２の不揮発性記憶素子４１は処理回路１４の動作に必要な電圧値及び電流制限値を示す電源情報を記憶しているメモリである。
携帯端末２のＺｉｇＢｅｅ回路４２はＺｉｇＢｅｅ（ＰＡＮ（Ｐｅｒｓｏｎａｌ  Ａｒｅａ  Ｎｅｔｗｏｒｋ）又はＷＰＡＮと呼ばれる短距離無線ネットワーク規格のＩＥＥＥ８０２．１５．４をベースにしている無線通信を確立する標準プロトコル）による無線通信を実施する回路であり、可変出力ＡＣ／ＤＣ電源アダプタ１のＺｉｇＢｅｅ回路４３から電源情報の送信要求を受信すると、不揮発性記憶素子４１に記憶されている電源情報を可変出力ＡＣ／ＤＣ電源アダプタ１のＺｉｇＢｅｅ回路４３に送信する処理を実施する。
なお、ＺｉｇＢｅｅ回路４２は電源情報送信手段を構成している。
【００２８】
可変出力ＡＣ／ＤＣ電源アダプタ１のＺｉｇＢｅｅ回路４３はＺｉｇＢｅｅによる無線通信を実施する回路であり、電源情報の送信要求を携帯端末２のＺｉｇＢｅｅ回路４２に送信する一方、携帯端末２のＺｉｇＢｅｅ回路４２から送信された電源情報を受信する処理を実施する。なお、ＺｉｇＢｅｅ回路４３は電源情報受信手段を構成している。
可変出力ＡＣ／ＤＣ電源アダプタ１の可変出力ＡＣ／ＤＣ電源部４４はＺｉｇＢｅｅ駆動用電圧を携帯端末２のＺｉｇＢｅｅ回路４２及びＺｉｇＢｅｅ回路４３に供給する。また、商用電源から供給される交流電圧を受信データ処理部２２により設定されたＤＣ出力電圧値の直流電圧に変換し、出力電流の電流値が受信データ処理部２２により設定された最大出力電流値を超えないように制限しながら、その直流電圧を電源ケーブル４５を介して携帯端末２の処理回路１４に供給する処理を実施する。なお、可変出力ＡＣ／ＤＣ電源部４４は直流電圧供給手段を構成している。
【００２９】
電源ケーブル４５は直流電圧を携帯端末２の処理回路１４に供給する電源ケーブル２５と、ＺｉｇＢｅｅ駆動用電圧を携帯端末２のＺｉｇＢｅｅ回路４２に供給する電源ケーブル４６とを含んでいるケーブルである。
図７は可変出力ＡＣ／ＤＣ電源部２４における直流電圧及びＺｉｇＢｅｅ駆動用電圧の出力タイミングを示す説明図である。
【００３０】
次に動作について説明する。
可変出力ＡＣ／ＤＣ電源アダプタ１の可変出力ＡＣ／ＤＣ電源部４４は、商用電源から交流電圧の供給を受けると、図７（ｂ）に示すように、ＺｉｇＢｅｅ駆動用電圧を発生して、そのＺｉｇＢｅｅ駆動用電圧をＺｉｇＢｅｅ回路４２，４３に供給することにより、そのＺｉｇＢｅｅ回路４２，４３を駆動する。
【００３１】
可変出力ＡＣ／ＤＣ電源アダプタ１の受信データ処理部２２は、可変出力ＡＣ／ＤＣ電源部４４が直流電圧を携帯端末２に供給するに際して、電源情報の送信要求をＺｉｇＢｅｅ回路４３に出力する。
可変出力ＡＣ／ＤＣ電源アダプタ１のＺｉｇＢｅｅ回路４３は、可変出力ＡＣ／ＤＣ電源部４４からＺｉｇＢｅｅ駆動用電圧の供給を受けているとき、受信データ処理部２２から電源情報の送信要求を受けると、その電源情報の送信要求を携帯端末２のＺｉｇＢｅｅ回路４２に送信する。
【００３２】
携帯端末２のＺｉｇＢｅｅ回路４２は、可変出力ＡＣ／ＤＣ電源アダプタ１のＺｉｇＢｅｅ回路４３から電源情報の送信要求を受信すると、不揮発性記憶素子４１に記憶されている電源情報を可変出力ＡＣ／ＤＣ電源アダプタ１のＺｉｇＢｅｅ回路４３に送信する。
可変出力ＡＣ／ＤＣ電源アダプタ１のＺｉｇＢｅｅ回路４３は、携帯端末２のＺｉｇＢｅｅ回路４２から送信された電源情報を受信すると、その電源情報を受信データ処理部２２に出力する。
【００３３】
可変出力ＡＣ／ＤＣ電源アダプタ１の受信データ処理部２２は、ＺｉｇＢｅｅ回路４３から電源情報を受けると、その電源情報が示す電圧値をＤＣ出力電圧値に設定するとともに、その電源情報が示す電流制限値を最大出力電流値に設定する。
可変出力ＡＣ／ＤＣ電源アダプタ１の可変出力ＡＣ／ＤＣ電源部４４は、受信データ処理部２２がＤＣ出力電圧値と最大出力電流値を設定すると、図７（ａ）に示すように、商用電源から供給される交流電圧をＤＣ出力電圧値の直流電圧に変換し、出力電流の電流値が最大出力電流値を超えないように制限しながら、その直流電圧を電源ケーブル２５を介して携帯端末２の処理回路１４に供給する。
図７（ａ）の例では、電源情報の送信要求を携帯端末２に送信したのち、電源情報設定時間Ｔが経過した時点から、直流電圧を携帯端末２の処理回路１４に供給している様子を示している。
【００３４】
以上で明らかなように、ＺｉｇＢｅｅ回路４２，４３を用いて、電源情報をやり取りする場合でも、上記実施の形態１と同様に、各種の携帯端末２が共通に使用することができるＡＣアダプタが得られる効果を奏する。
【００３５】
実施の形態４．
上記実施の形態３では、可変出力ＡＣ／ＤＣ電源アダプタ１の可変出力ＡＣ／ＤＣ電源部４４がＺｉｇＢｅｅ駆動用電圧を携帯端末２のＺｉｇＢｅｅ回路４２に供給しているものについて示したが、図８に示すように、携帯端末２が電池４７を搭載している場合には、携帯端末２のＺｉｇＢｅｅ回路４２が電池４７からＺｉｇＢｅｅ駆動用電圧の供給を受けるようにしてもよい。
【００３６】
実施の形態５．
図９はこの発明の実施の形態５による電圧可変式直流電源装置及び電気機器を示す構成図であり、図において、図１及び図６と同一符号は同一または相当部分を示すので説明を省略する。
携帯端末２のＰＬＣ回路５１は電力ケーブル４５を利用して高速電力線通信を行うＰＬＣ（Ｐｏｗｅｒ  Ｌｉｎｅ  Ｃｏｍｍｕｎｉｃａｔｉｏｎｓ）の回路であり、可変出力ＡＣ／ＤＣ電源アダプタ１のＰＬＣ回路５２から電源情報の送信要求を受信すると、不揮発性記憶素子４１に記憶されている電源情報を可変出力ＡＣ／ＤＣ電源アダプタ１のＰＬＣ回路５２に送信する処理を実施する。なお、ＰＬＣ回路５１は電源情報送信手段を構成している。
【００３７】
可変出力ＡＣ／ＤＣ電源アダプタ１のＰＬＣ回路５２はＰＬＣによる通信を実施する回路であり、電源情報の送信要求を携帯端末２のＰＬＣ回路５１に送信する一方、携帯端末２のＰＬＣ回路５１から送信された電源情報を受信する処理を実施する。なお、ＰＬＣ回路５２は電源情報受信手段を構成している。
【００３８】
次に動作について説明する。
可変出力ＡＣ／ＤＣ電源アダプタ１の可変出力ＡＣ／ＤＣ電源部４４は、商用電源から交流電圧の供給を受けると、図７（ｂ）に示すように、ＰＬＣ駆動用電圧を発生して、そのＰＬＣ駆動用電圧をＰＬＣ回路５１，５２に供給することにより、そのＰＬＣ回路５１，５２を駆動する。
【００３９】
可変出力ＡＣ／ＤＣ電源アダプタ１の受信データ処理部２２は、可変出力ＡＣ／ＤＣ電源部４４が直流電圧を携帯端末２に供給するに際して、電源情報の送信要求をＰＬＣ回路５２に出力する。
可変出力ＡＣ／ＤＣ電源アダプタ１のＰＬＣ回路５２は、可変出力ＡＣ／ＤＣ電源部４４からＰＬＣ駆動用電圧の供給を受けているとき、受信データ処理部２２から電源情報の送信要求を受けると、その電源情報の送信要求を携帯端末２のＰＬＣ回路５１に送信する。
【００４０】
携帯端末２のＰＬＣ回路５１は、可変出力ＡＣ／ＤＣ電源アダプタ１のＰＬＣ回路５２から電源情報の送信要求を受信すると、不揮発性記憶素子４１に記憶されている電源情報を可変出力ＡＣ／ＤＣ電源アダプタ１のＰＬＣ回路５２に送信する。
可変出力ＡＣ／ＤＣ電源アダプタ１のＰＬＣ回路５２は、携帯端末２のＰＬＣ回路５１から送信された電源情報を受信すると、その電源情報を受信データ処理部２２に出力する。
【００４１】
可変出力ＡＣ／ＤＣ電源アダプタ１の受信データ処理部２２は、ＰＬＣ回路５２から電源情報を受けると、その電源情報が示す電圧値をＤＣ出力電圧値に設定するとともに、その電源情報が示す電流制限値を最大出力電流値に設定する。
可変出力ＡＣ／ＤＣ電源アダプタ１の可変出力ＡＣ／ＤＣ電源部４４は、受信データ処理部２２がＤＣ出力電圧値と最大出力電流値を設定すると、図７（ａ）に示すように、商用電源から供給される交流電圧をＤＣ出力電圧値の直流電圧に変換し、出力電流の電流値が最大出力電流値を超えないように制限しながら、その直流電圧を電源ケーブル２５を介して携帯端末２の処理回路１４に供給する。
図７（ａ）の例では、電源情報の送信要求を携帯端末２に送信したのち、電源情報設定時間Ｔが経過した時点から、直流電圧を携帯端末２の処理回路１４に供給している様子を示している。
【００４２】
以上で明らかなように、ＰＬＣ回路５１，５２を用いて、電源情報をやり取りする場合でも、上記実施の形態１と同様に、各種の携帯端末２が共通に使用することができるＡＣアダプタが得られる効果を奏する。
【００４３】
実施の形態６．
上記実施の形態５では、可変出力ＡＣ／ＤＣ電源アダプタ１の可変出力ＡＣ／ＤＣ電源部４４がＰＬＬ駆動用電圧を携帯端末２のＰＬＬ回路５１に供給しているものについて示したが、図１０に示すように、携帯端末２が電池４７を搭載している場合には、携帯端末２のＰＬＬ回路５１が電池４７からＰＬＬ駆動用電圧の供給を受けるようにしてもよい。
【図面の簡単な説明】
【００４４】
【図１】この発明の実施の形態１による電圧可変式直流電源装置及び電気機器を示す構成図である。
【図２】可変出力ＡＣ／ＤＣ電源部２４における直流電圧の出力タイミングを示す説明図である。
【図３】可変出力ＡＣ／ＤＣ電源アダプタ１と携帯端末２におけるＤＣ出力電圧値の設定シーケンスを示す説明図である。
【図４】この発明の実施の形態１による電圧可変式直流電源装置の効果を示す概念図である。
【図５】この発明の実施の形態２による電圧可変式直流電源装置及び電気機器を示す構成図である。
【図６】この発明の実施の形態３による電圧可変式直流電源装置及び電気機器を示す構成図である。
【図７】可変出力ＡＣ／ＤＣ電源部２４における直流電圧及びＺｉｇＢｅｅ駆動用電圧の出力タイミングを示す説明図である。
【図８】この発明の実施の形態４による電圧可変式直流電源装置及び電気機器を示す構成図である。
【図９】この発明の実施の形態５による電圧可変式直流電源装置及び電気機器を示す構成図である。
【図１０】この発明の実施の形態６による電圧可変式直流電源装置及び電気機器を示す構成図である。
【符号の説明】
【００４５】
１  可変出力ＡＣ／ＤＣ電源アダプタ（電圧可変式直流電源装置）、２  携帯端末（電気機器）、１１  ＲＦ−ＩＤ（電源情報送信手段）、１２  ＩＣタグ、１３  アンテナ、１４  処理回路、１５，３１  コネクタ、２１  アンテナ（電源情報受信手段）、２２  受信データ処理部（出力電圧値設定手段、最大出力電流値設定手段）、２３  コンセント、２４，４４  可変出力ＡＣ／ＤＣ電源部（直流電圧供給手段）、２５  電源ケーブル、３２  信号ケーブル、４１  不揮発性記憶素子、４２  ＺｉｇＢｅｅ回路（電源情報送信手段）、４３  ＺｉｇＢｅｅ回路（電源情報受信手段）、４５，４６  電源ケーブル、４７  電池、５１  ＰＬＣ回路（電源情報送信手段）、５２  ＰＬＣ回路（電源情報受信手段）。
【図１】
2009278771.tif 000003
【図２】
2009278771.tif 000004
【図３】
2009278771.tif 000005
【図４】
2009278771.tif 000006
【図５】
2009278771.tif 000007
【図６】
2009278771.tif 000008
【図７】
2009278771.tif 000009
【図８】
2009278771.tif 000010
【図９】
2009278771.tif 000011
【図１０】
2009278771.tif 000012